(57)【要約】【課題】収納したアクセサリーを同じ位置に固定した状態で保持することが可能なアクセサリーポーチの提供。【解決手段】アクセサリーポーチ１は、上側カバー３と、上側カバー３と同じ円形状を有する下側カバー５と、上側カバー３の外周一部と下側カバー５の外周一部とを接続する接続部材７と、線ファスナー９とを備える。線ファスナー９は、上側カバー３と下側カバー５とが近接して閉じた閉状態と上側カバー３と下側カバー５とが離間して開いた開状態とを切り替える。上側カバー３のうち閉状態において下側カバー５を向く面にはスポンジ材３１が設けられる。下側カバー５のうち閉状態において上側カバー３を向く面にはスポンジ材５１が設けられる。上側カバー３と下側カバー５とが閉状態にある場合に、スポンジ材３１及びスポンジ材５１は密着するように構成されている。【選択図】図２
0003224476.tif 000002
【実用新案登録請求の範囲】
【請求項１】
アクセサリーポーチであって、
第１カバーと、
前記第１カバーと略同じ形状を有する第２カバーと、
前記第１カバーの外周一部と前記第２カバーの外周一部とを接続する接続部材と、
前記第１カバーと前記第２カバーとが近接して閉じた閉状態と前記第１カバーと前記第２カバーとが離間して開いた開状態とを切り替える切替部材と、
を備え、
前記第１カバーのうち前記閉状態において前記第２カバーを向く面には、第１弾性材が設けられ、
前記第２カバーのうち前記閉状態において前記第１カバーを向く面には、第２弾性材が設けられ、
前記第１カバーと前記第２カバーとが前記閉状態にある場合に、前記第１弾性材及び前記第２弾性材は密着するように構成されていることを特徴とするアクセサリーポーチ。
【請求項２】
前記切替部材は線ファスナーであり、
前記線ファスナーは、
前記第１カバーの外周と前記第２カバーの外周とにそれぞれ設けられた務歯と、
スライド移動して前記務歯を噛み合せたり、離間させたりするためのスライダーと、
を有することを特徴とする請求項１に記載のアクセサリーポーチ。
【請求項３】
前記第１弾性部材及び前記第２弾性部材には、収納されるピアスのシャフトを差し込むことが可能な素材が用いられていることを特徴とする請求項１又は２に記載のアクセサリーポーチ。
【請求項４】
前記第１カバーと前記第２カバーとが前記閉状態である場合において、前記第１弾性材及び前記第２弾性材は、前記第１弾性材と前記第２弾性材との接着面に一定以上の弾性力が生じる厚みを有していることを特徴とする請求項１から３のうち何れかに記載のアクセサリーポーチ。
【考案の詳細な説明】
【技術分野】
【０００１】
本考案は、アクセサリーを内部で保持することが可能なアクセサリーポーチに関する。
【背景技術】
【０００２】
従来、アクセサリーを収納するためのアクセサリーケースが提案されている（例えば、特許文献１参照）。具体的には、特許文献１の図１に示されるように、アクセサリーケース１０は、透明の容器本体（１５）と、支持蓋（１６）とを有している。容器本体（１５）は円筒状のシンプルな形状である。支持蓋（１６）は保持部材（１４）を有し、イヤリング（３２）は保持部材（１４）の保持部に保持される。イヤリング（３２）は、保持部材（１４）に保持された状態で、容器本体（１５）の開口（２５）から収容空間に挿入される。
【先行技術文献】
【特許文献】
【０００３】
【特許文献１】実用新案登録第３１９５３２９号公報
【考案の概要】
【考案が解決しようとする課題】
【０００４】
しかし、特許文献１に記載の技術では、イヤリング（３２）が中空状の容器本体（１５）の内部空間において保持されているため、アクセサリーケース（１０）を持ち運ぶなどした場合、容器本体（１５）の内部でイヤリング（３２）が揺動し、イヤリング（３２）同士が接触したり、イヤリング（３２）が内壁に接触したりして破損する可能性がある。
【０００５】
そこで、本考案は、収納したアクセサリーを同じ位置に固定した状態で保持することが可能なアクセサリーポーチを提供することを目的とする。
【課題を解決するための手段】
【０００６】
上記目的を達成するために、本考案は、アクセサリーポーチであって、第１カバーと、前記第１カバーと略同じ形状を有する第２カバーと、前記第１カバーの外周一部と前記第２カバーの外周一部とを接続する接続部材と、前記第１カバーと前記第２カバーとが近接して閉じた閉状態と前記第１カバーと前記第２カバーとが離間して開いた開状態とを切り替える切替部材と、を備え、前記第１カバーのうち前記閉状態において前記第２カバーを向く面には、第１弾性材が設けられ、前記第２カバーのうち前記閉状態において前記第１カバーを向く面には、第２弾性材が設けられ、前記第１カバーと前記第２カバーとが前記閉状態にある場合に、前記第１弾性材及び前記第２弾性材は密着するように構成されていることを特徴とするアクセサリーポーチを提供している。
【０００７】
ここで、前記切替部材は線ファスナーであり、前記線ファスナーは、前記第１カバーの外周と前記第２カバーの外周とにそれぞれ設けられた務歯と、スライド移動して前記務歯を噛み合せたり、離間させたりするためのスライダーと、を有することが好ましい。
【０００８】
また、前記第１弾性部材及び前記第２弾性部材には、収納されるピアスのシャフトを差し込むことが可能な素材が用いられていることが好ましい。
【０００９】
更に、前記第１カバーと前記第２カバーとが前記閉状態である場合において、前記第１弾性材及び前記第２弾性材は、前記第１弾性材と前記第２弾性材との接着面に一定以上の弾性力が生じる厚みを有していることが好ましい。
【考案の効果】
【００１０】
本考案によれば、収納したアクセサリーを同じ位置に固定した状態で保持することが可能である。
【図面の簡単な説明】
【００１１】
【図１】本考案のアクセサリーポーチの外観を示す図。
【図２】アクセサリーポーチを開いた状態（開状態）を示す図。
【図３】開状態にあるアクセサリーポーチを示す断面図。
【図４】閉状態にあるアクセサリーポーチを示す断面図。
【考案を実施するための形態】
【００１２】
＜１．実施形態＞
本考案の実施形態によるアクセサリーポーチについて図１から図４を参照しながら説明する。ここでは、本考案のアクセサリーポーチの一例として、二つ折りのアクセサリーポーチ１（図１，２参照）を例示する。
【００１３】
図１及び図２に示すように、アクセサリーポーチ１は、上側カバー３と、下側カバー５と、接続部材７と、線ファスナー９とを備えて構成される。
【００１４】
上側カバー３は、本考案に係る第１カバーの一例であり、円形状を有している。また、下側カバー５は、本考案に係る第２カバーの一例であり、上側カバー３と同様に円形状を有している。
【００１５】
接続部材７は、上側カバー３の外周一部と下側カバー５の外周一部とを接続するための部材である。
【００１６】
線ファスナー９は、本考案に係る切替部材の一例であり、上側カバー３と下側カバー５とが近接して閉じた閉状態（図４参照）と上側カバー３と下側カバー５とが離間して開いた開状態（図３参照）とを切り替えるための部材である。
【００１７】
具体的には、線ファスナー９は、務歯９１（９１Ａ，９１Ｂ）と、スライド移動して務歯９１（９１Ａ，９１Ｂ）を噛み合せたり離間させたりするためのスライダー９３とを備えて構成される。
【００１８】
務歯９１Ａは、上側カバー３の外周のうち接続部材７が存在しない部分に設けられている。務歯９１Ｂは、下側カバー５の外周のうち接続部材７が存在しない部分に設けられている。
【００１９】
スライダー９３に設けられた把持部９３０を介してスライダー９３を方向Ｄ１にスライド移動させると、務歯９１Ａ，９１Ｂの噛み合った状態が解除される。その結果、図２に示すように、上側カバー３と下側カバー５とを広げることが可能になる。そして、上側カバー３と下側カバー５との間にネックレス６等のアクセサリーを収納したり、取り出したりすることが可能になる。
【００２０】
一方、把持部９３０を介してスライダー９３を方向Ｄ１とは反対の方向Ｄ２にスライド移動させると、務歯９１Ａ，９１Ｂが離間した状態から噛み合い、上側カバー３と下側カバー５とが連結される。その結果、上側カバー３と下側カバー５との間に収容されたネックレス６等のアクセサリーが脱落することなく保持される。
【００２１】
図２，３に示すように、上側カバー３にはスポンジ材３１（本考案に係る第１弾性材の一例）が設けられ、下側カバー５にはスポンジ材５１（本考案に係る第２弾性材の一例）が設けられている。
【００２２】
具体的には、スポンジ材３１は、上側カバー３のうち閉状態（図４参照）において下側カバー５を向く面に接着されている。また、スポンジ材５１は、下側カバー５のうち閉状態（図４参照）において上側カバー３を向く面に接着されている。
【００２３】
図３に示すように、スポンジ材３１及びスポンジ材５１には、ピアス８のシャフト８１を差し込むことが可能な素材が用いられている。
【００２４】
図４に示すように、スポンジ材３１及びスポンジ材５１は、上側カバー３と下側カバー５とが閉状態にある場合に密着するように構成されている。その際、スポンジ材３１及びスポンジ材５１は、スポンジ材３１とスポンジ材５１との接着面３５に一定以上の弾性力が生じる厚みを備えている。
【００２５】
上述した実施形態に係るアクセサリーポーチ１によれば、上側カバー３と下側カバー５とが閉状態にある場合に、スポンジ材３１とスポンジ材５１とが密着する。そのため、収納したアクセサリー（ネックレス６やピアス８）を同じ位置に保持することができる。よって、アクセサリーポーチ１を動かしたとしても、内部に収容されたアクセサリーが動かずに済み、アクセサリーが絡まったり、損傷したりするのを防止することができる。
【００２６】
また、上述した実施形態に係るアクセサリーポーチ１によれば、上側カバー３と下側カバー５とが閉状態にある場合に、スポンジ材３１とスポンジ材５１との接着面３５に一定以上の弾性力が生じる。よって、スポンジ材３１とスポンジ材５１とに挟持されたアクセサリーをより確実に保持することが可能である。
【００２７】
また、上述した実施形態に係るアクセサリーポーチ１によれば、スポンジ材３１及びスポンジ材５１にはピアス８のシャフト８１を差し込むことが可能な素材が用いられているため、ピアス８をより確実に保持することが可能である。
【００２８】
＜２．変形例＞
本考案によるアクセサリーポーチは上述した実施形態に限定されず、実用新案登録請求の範囲に記載した範囲で種々の変形や改良が可能である。
【００２９】
例えば、上述した実施形態では、上側カバー３及び下側カバー５が円形状を有している場合を例示したが、これに限定されず、矩形形状や三角形状等といった他の形状を有するように構成してもよい。
【００３０】
また、上述した実施形態では、切替部材の一例として線ファスナー９を例示したが、これに限定されず、ベルト止め等を切替部材として用いるようにしてもよい。
【符号の説明】
【００３１】
１  アクセサリーポーチ
３  上側カバー
５  下側カバー
６  ネックレス
７  接続部材
８  ピアス
９  線ファスナー
１０  アクセサリーケース
３１  スポンジ材
３５  接着面
５１  スポンジ材
８１  シャフト
９１  務歯
９１Ａ，９１Ｂ  務歯
９３  スライダー
９３０  把持部
【図１】
0003224476.tif 000003
【図２】
0003224476.tif 000004
【図３】
0003224476.tif 000005
【図４】
0003224476.tif 000006